(57)【要約】【課題】内部で放射された不正電波は勿論、外部より自らに向けて放射された不正電波、近隣の遊技機に向けて放射された不正電波も検知することができ、不正に遊技媒体が引き出されることを効果的に防止する遊技媒体貸出装置を提供する。【解決手段】ＣＲ遊技機２０と接続されて遊技媒体貸出制御を行うＣＲユニット１０の筐体を、電波透過性樹脂で形成した前面カバー１０２と主枠体１０１で構成し、該筐体内に電波センサ部１６を設け、前面カバー１０２を透過して筐体内に到来した不正電波および筐体内にアンテナを挿入して放射された不正電波を電波センサ部１６が検知すると、主制御回路１２は遊技媒体貸出機能を停止させて、不正に遊技媒体が払い出されることを阻止すると共に、音声信号生成部１４や表示／操作部１５によって不正電波検知を報知すると共に、ホールコンピュータ３０やプリペイドシステム管理コンピュータ５０へ通知する。【選択図】図２
2008194337.tif 000002
【特許請求の範囲】
【請求項１】
遊技店に設置された遊技機に夫々対応して設けられ、情報記録媒体に記憶された情報に基づいて、対応する遊技機で使用する遊技媒体の貸出制御を行う遊技媒体貸出装置において、
検知対象である所要特性の不正電波が透過可能な筐体内に設けた電波検出手段と、
前記電波検出手段により不正電波が検出されることに基づいて、所要の遊技媒体貸出機能を停止させる機能停止手段と、
を備えることを特徴とする遊技媒体貸出装置。
【請求項２】
前記機能停止手段により遊技媒体貸出機能が停止される際に、予め定めた停止前情報を記憶保持し、予め定めた状態復帰条件が達成されることに基づき、前記停止前情報を用いて機能停止前の状態へ復帰させる状態復帰手段を備えることを特徴とする請求項１に記載の遊技媒体貸出装置。
【発明の詳細な説明】
【技術分野】
【０００１】
本発明は、遊技店に設置された遊技機に夫々対応して設けられ、情報記録媒体に記憶された情報に基づいて、対応する遊技機で使用する遊技媒体の貸出制御を行う遊技媒体貸出装置に関する。
【背景技術】
【０００２】
従来より、遊技店に導入されている遊技媒体貸出システムにおいては、プリペイド媒体（購入金額に相当する価値を記憶させた磁気カードやＩＣカード等）や現金の投入による遊技媒体（遊技球や遊技メダル等）の貸出に際して、プリペイド媒体等を受入れて遊技媒体の貸出制御を行う遊技媒体貸出装置（いわゆるＣＲユニット）と、遊技媒体貸出機能を備えた遊技機（いわゆるＣＲ遊技機）とを並設している。この遊技媒体貸出システムにおいては、遊技機に設けた遊技媒体貸出装置接続端子板を介して、ＣＲユニットからＣＲ遊技機へ遊技媒体の払出要求を信号で通知し、ＣＲユニットから遊技媒体の払出要求を受けたＣＲ遊技機が実際に遊技媒体を払い出し、払い出した遊技媒体分の金額や価値がＣＲユニットにて取り込まれる。
【０００３】
このようなＣＲ遊技機やＣＲユニットは、遊技店内の通常環境では発生しえない想定外の電波が発生すると、制御機器やセンサが誤動作してしまい、仕様外の遊技媒体が払い出されるという事象が起こり得る。このような誤動作を故意に引き起こして不正に遊技媒体を取得する不正行為（いわゆる電波ゴト行為）に対処するため、遊技機の近傍に設ける遊技機用不正電波検知センサーが提案されている（例えば、特許文献１を参照）。
【０００４】
【特許文献１】特開２００４−１２９７５４号公報
【０００５】
上記特許文献１に記載された不正電波検知センサーによれば、携帯電話の電波による誤検出が起きないよう、選択的に不正電波を検出することが可能であり、また、不正電波の検出に伴って不正電波誤動作検知信号を警報装置に出力することで、ＬＥＤやアラームによる警報が実行され、不正電波による不正行為防止に有効である。
【発明の開示】
【発明が解決しようとする課題】
【０００６】
しかしながら、上記特許文献１に記載された不正電波検知センサは、ＣＲ遊技機やＣＲユニットとは異なる場所（例えば、島設備の上部幕板等）に設けるものであることから、ＣＲ遊技機内部やＣＲユニット内部にアンテナを挿入して機器の誤動作を引き起こす不正行為が行われると、この不正電波を検知できないという問題がある。このような問題に対して、不正電波検知センサをＣＲ遊技機とＣＲユニットの内部に各々設けて不正電波を検知させようとすると、そのコストは倍加するため、遊技店の負担が大きく、到底現実的ではない。ＣＲ遊技機とＣＲユニットは隣接して配置されるのであるから、一方に設けた不正電波検知センサによって的確な不正電波検知を行えることが望ましい。
【０００７】
そこで、本発明は、上記問題点に鑑み、内部で放射された不正電波は勿論、外部より自らに向けて放射された不正電波、近隣の遊技機に向けて放射された不正電波も検知することができ、不正に遊技媒体が引き出されることを効果的に防止する遊技媒体貸出装置の提供を目的とする。
【課題を解決するための手段】
【０００８】
上記の課題を解決するために、請求項１に係る発明は、遊技店に設置された遊技機に夫々対応して設けられ、情報記録媒体に記憶された情報に基づいて、対応する遊技機で使用する遊技媒体の貸出制御を行う遊技媒体貸出装置において、検知対象である所要特性の不正電波が透過可能な筐体内に設けた電波検出手段と、前記電波検出手段により不正電波が検出されることに基づいて、所要の遊技媒体貸出機能を停止させる機能停止手段と、を備えることを特徴とする。
【０００９】
また、請求項２に係る発明は、前記請求項１に記載の遊技媒体貸出装置において、前記機能停止手段により遊技媒体貸出機能が停止される際に、予め定めた停止前情報を記憶保持し、予め定めた状態復帰条件が達成されることに基づき、前記停止前情報を用いて機能停止前の状態へ復帰させる状態復帰手段を備えることを特徴とする。
【発明の効果】
【００１０】
請求項１に係る遊技媒体貸出装置によれば、検知対象である所要特性の不正電波が透過可能な筐体内に設けた電波検出手段と、前記電波検出手段により不正電波が検出されることに基づいて、所要の遊技媒体貸出機能を停止させる機能停止手段と、を備えるので、外部から放射された不正電波と内部で放射された不正電波に加えて、近隣の遊技機に対して放射された不正電波も電波検出手段により検知することができ、また、この不正電波検知に伴って機能停止手段が遊技媒体貸出機能を停止させることで、不正に遊技媒体が引き出されることを確実に防止できる。
【００１１】
また、請求項２に係る遊技媒体貸出装置によれば、前記機能停止手段により遊技媒体貸出機能が停止される際に、予め定めた停止前情報を記憶保持し、予め定めた状態復帰条件が達成されることに基づき、前記停止前情報を用いて機能停止前の状態へ復帰させる状態復帰手段を備えるので、不正行為に関わりのない善意の遊技者が利用している遊技媒体貸出装置が不正電波を受けて機能停止した場合、機能停止前の状態へ状態復帰手段により復帰させることができるので、善意の遊技者に対して不利益を与えることがない。
【発明を実施するための最良の形態】
【００１２】
次に、本発明に係る遊技媒体貸出装置の実施形態を添付図面に基づき詳細に説明する。なお、本実施形態では、遊技媒体として遊技球を貸し出す球貸装置に適用したが、これに限定されるものではなく、遊技媒体としてコイン形状の遊技メダルを貸し出すメダル貸出装置にも適用可能である。図１は、ＣＲタイプの遊技媒体貸出装置であるＣＲユニット１０と、これに対応して接続されたＣＲタイプのＣＲ遊技機２０の前面側斜視図である。
【００１３】
ＣＲ遊技機２０は、遊技球を用いた弾球遊技を行うための種々の機能を備えるもので、その適所には、遊技者が遊技球の貸出を要求するために操作する貸出ボタン２０ａと、この貸出ボタンが操作可能な状態である場合に点灯表示される貸出可能ランプ２０ｂを設けてある。なお、ＣＲ遊技機２０の裏面側には、弾球遊技の主たる制御を行う主制御装置、表示制御や音制御といった演出面の動作制御を行う副制御装置、遊技球の発射動作を制御する発射制御装置、賞としての遊技球や貸出用の遊技球を排出する遊技球排出装置、この遊技球排出装置に対する遊技球の排出制御を行う排出制御装置等を設けてある。これらの制御装置群はＩＣ等の電子パーツが実装された基板をケースに収納したものであり、所要特性の電波（以下、不正電波という）を受けると、誤動作する可能性がある。特に、主制御装置や排出制御装置が不正電波を受けて誤動作すると、本来の遊技状態移行条件が達成されていないにも拘わらず特別な遊技状態が発生したり、不正に遊技球が排出されたりする可能性があるため、電波ゴトの対象とされ易い。
【００１４】
本実施形態に係るＣＲユニット１０は、ＣＲ遊技機２０の一側方に設置されるもので、例えば、剛性の高い金属パーツを組み合わせて形成した主枠体１０１の前面側に非導電性の樹脂等で形成した前面カバー１０２を装着し、内部に諸機能を内蔵した構造である。なお、前面カバー１０２には、紙幣や硬貨を投入する貨幣導入口１１ａ、プリペイドコインや会員カード等の有価価値記録媒体を導入する媒体挿排口１１ｂ、ＣＲユニット１０自体の状態（例えば、自身の利用可能状態や異常停止状態など）を表示する利用可能ランプ１１ｃ等を設けてある。また、主枠体１０１の裏面側には外部機器接続用中継基板１０３を設けてある。
【００１５】
主枠体１０１と前面カバー１０２からなる筐体内には、遊技球の貸出制御を統括的に行う主制御回路１２を設け、外部機器接続用中継基板１０３を介してＣＲ遊技機２０と接続される。この主制御回路１２は、貨幣投入口１１ａから紙幣が投入されると投入金額に応じたプリペイド媒体（例えば、ＩＣを内蔵した硬貨形状のプリペイドコイン）を発行したり、媒体挿排口１１ｂから投入されたプリペイドコインの残価値の範囲内で設定された所定の金額（ＣＲ遊技機２０の貸出ボタン２０ａの操作による貸出要求）に応じた遊技媒体貸出信号をＣＲ遊技機２０へ送信したり、媒体挿排口１１ｂから挿入された会員カードを受け付け、遊技者が貸出ボタン２０ａを操作して選択した球数（あるいは金額、度数）に応じた遊技媒体貸出信号をＣＲ遊技機２０へ送信する。また、ＣＲユニット１０が遊技媒体貸出要求を受けられる状態にある場合は、ＣＲ遊技機２０に設けた貸出可能ランプ２０ｂを点灯表示させ、遊技者にその旨を報らせる。
【００１６】
次に、ＣＲユニット１０の概略構成を図２に基づいて説明する。ＣＲユニット１０は、貨幣投入口１１ａから投入された貨幣Ｍによって、プリペイド媒体（例えば、磁気記録部に有価価値を記録したカード形状のプリペイドカードやＩＣを内蔵した硬貨形状のプリペイドコイン等）の有価価値記録媒体Ｃを発行したり、媒体挿排口１１ｂから投入された有価価値記録媒体Ｃに残っている有価価値に基づいて遊技球の貸出制御を行う。
【００１７】
なお、ＣＲユニット１０で遊技球貸出のために使用できるのは、購入金額に応じた有価価値が記録されたプリペイド媒体に限定されるものではなく、遊技で獲得した遊技球を貯めておける貯玉システムを利用可能な会員カードを媒体挿排口１１ｂから受け入れ、会員カードにより特定される顧客番号に応じた貯玉を引き出すように遊技球貸出を行うようにしても良い。
【００１８】
また、ＣＲユニット１０は、主たる動作制御を行う主制御回路１２を有し、投入された貨幣Ｍの真贋や金額を識別する貨幣識別部１３、スピーカ等の音声信号生成部１５、表示パネルや操作ボタンからなる表示／操作部１４、ＣＲユニット１０自身やＣＲ遊技機２０に対して誤動作を引き起こす所要特性の電波（以下、不正電波という）を検出する電波センサ部１６、媒体挿排口１１ｂから投入された有価価値記録媒体Ｃを保持する記録媒体保持部１７（有価価値記録媒体Ｃに記録された記録情報の読出／書換を行う媒体Ｒ／Ｗ部１７ａを有する。）等と接続され、種々の情報を受信すると共に制御信号を送出する。電源部１８は、外部から電源供給を受けて、主制御回路１２等へ所要の電源を供給する。なお、新たなプリペイド媒体の発行や発行済みプリペイド媒体へのチャージを行わない場合には、貨幣Ｍを取り扱う必要がないので、貨幣投入口１１ａや貨幣識別部１３は不要である。また、ＣＲユニット１０での音声報知を行わない運用を前提としている場合には、音声信号生成部１５を搭載しない構成としてもよい。
【００１９】
さらに、ＣＲユニット１０は、外部機器接続用中継基板１９を介して、ＣＲ遊技機２０、ホールコンピュータ３０、顧客管理システムサーバ４０、プリペイドシステム管理コンピュータ５０等と接続される。
【００２０】
ＣＲ遊技機２０は、ＣＲユニット１０と１対１で接続されるもので、ＣＲユニット１０からの遊技球貸出信号を受けたＣＲ遊技機２０は、貸出要求に応じて遊技球排出装置から所定数の遊技球を払い出す。また、ＣＲ遊技機２０からＶＬ生成用電源が供給されたＣＲユニット１０は、基準電圧ＶＬ（例えば、５Ｖ）のＶＬ信号を生成してＣＲ遊技機２０へ出力し、このＶＬ信号を受けることでＣＲ遊技機２０は正常動作する。よって、ＣＲユニット１０からＶＬ信号が入力されなくなると、ＣＲ遊技機２０は動作停止し、遊技が継続されなくなる。
【００２１】
ホールコンピュータ３０は、ＣＲユニット１０で遊技球の貸出に消費した有価価値記録媒体Ｃの有価価値情報や新たに発行した有価価値記録媒体Ｃの金額情報などの各種売上信号を受信する。
【００２２】
顧客管理システムサーバ４０は、プリペイド機能あるいは貯玉機能を有する会員カードがＣＲユニット１０へ投入されたときに、その会員カードについての顧客データ等を送信するものである。なお、有価価値記録媒体Ｃとして会員カードを利用しない場合には、顧客管理システムサーバ４０との接続を行う必要はない。
【００２３】
プリペイドシステム管理コンピュータは、ＣＲユニット１０において新たに発行された有価価値記録媒体Ｃの発行情報や遊技媒体貸出に伴う有価価値消費情報等の取引データを受信するものであり、この収集情報はプリペイドシステムの管理会社で管理される。なお、ＣＲユニット１０は、他のＣＲユニット１０と相互通信が可能な構成としても良い（図２中、一点鎖線で示す）。
【００２４】
しかして、上記電波センサ部１６は、主枠体１０１と前面カバー１０２から成る筐体内部の適所（例えば、前面カバー１０２の裏面側など）に配置するものとし、配置箇所が分からないように筐体外部には露出させないが、検知対象である所要特性の不正電波は、非導電性である前面カバー１０２を透過して筐体内部に到達するので、電波センサ部１６による不正電波の検知が可能である。すなわち、主枠体１０１と前面カバー１０２から成る筐体内部に配置した電波センサ部１６は、「検知対象である所要特性の不正電波が透過可能な筐体内に設けた電波検出手段」として機能するのである。
【００２５】
斯く構成したＣＲユニット１０は、遊技を行うフリをしてＣＲ遊技機２０やＣＲユニット１０へ向けて放射された不正電波は勿論、内部へアンテナを挿入して放射された不正電波も検知することが出来る。しかも、電波センサ部１６はＣＲユニット１０の外部に露出させないので、外観上、電波センサ部１６の配設位置を不正遊技者に悟られることが無く、電波センサ部１６による不正電波検知機能を無効化されるリスクを回避できるという効果もある。また、本実施形態におけるＣＲユニット１０の筐体は、前面カバー１０２からのみ不正電波を透過させるものとしたが、主枠体１０１も電波透過性の素材で形成すれば、ＣＲユニット１０の上下および左右両側方から到来する不正電波の検知感度も良好となる。もちろん、前面カバー１０２や主枠体１０１の一部だけを電波透過性素材で形成し、筐体内部の電波センサ部１６で効率よく不正電波の検知を行える構成としても良い。
【００２６】
なお、不正電波の特性（周波数特性など）に適合した受信アンテナ、検波回路、増幅回路等を集積化した電波センサ素子を電波センサ部１６として用いれば、狭小な筐体内における電波センサ部１６の組み付けが容易となる。また、ＣＲユニット１０が設置されるホール内環境や運用実態に合わせて、電波センサ部１６のセンサ感度を高めたり逆に低くしたり出来る感度調整機能を設けても良い。
【００２７】
さらに、電波ゴト等で使用される不正電波は、その特性が多種多様なことが想定されるので、多様な特性に対応する電波センサ素子への交換が容易にできるよう構成しておくことが望ましい。例えば、主制御回路１２のセンサ入力信号用ハーネスが届く前面カバー１０２の内側面適所に、予め位置合わせ凹部を適宜配置し、この位置合わせ凹部に補助部材を使って電波センサ素子を固定する様にしてもよい。
【００２８】
上記のように、電波センサ部１６が不正電波を検知することで出力する不正電波検知信号を受けた主制御回路１２は、不正電波検知信号のＯＮ／ＯＦＦのみで不正電波検知か否かを判断するようにしても良いが、瞬時的なノイズ混入で誤作動する可能性もある。そこで、電波センサ部１６からの不正電波検知信号が予め定めた判定時間を超えて継続しているか、判定時間に満たないで不正電波検知信号がＯＦＦになったかで、不正電波検知に対する信頼性を高めるような判定動作を主制御回路１２で行うようにしても良い。あるいは、複数の電波センサを適宜配置することで電波センサ部１６を構成し、各電波センサから受ける検知信号のＯＮ／ＯＦＦパターンが所定の条件を満たした時に不正電波検知と判定するような動作を主制御回路１２で行うようにすれば、不正電波検知に対する信頼性を一層高めることができる。
【００２９】
また、電波センサ部１６からの不正電波検知信号のＯＮ／ＯＦＦ（或いは、不正電波検知信号に基づく不正電波の真偽判定）に基づき不正電波検知と判定した主制御回路１２は、不正電波検知時に行うよう予め設定された処理動作を行う。この処理動作は特に限定されるものではないが、少なくとも、不正電波により遊技媒体貸出機能が誤作動してしまうことを防止するために、遊技媒体貸出機能を直ちに強制停止させる必要がある。すなわち、ＣＲユニット１０においては、主制御回路１２によって「電波検出手段により不正電波が検出されることに基づいて、所要の遊技媒体貸出機能を停止させる機能停止手段」としての機能を実現するのである。
【００３０】
なお、遊技媒体貸出機能の停止方法としては、表示／操作部１５を介して遊技者が行う操作を一切受け付けなくして、ＣＲ遊技機２０に対する遊技球貸出信号の送信を行わない方法でも良いし、エラー表示のみ行ってＣＲユニット１０の全機能を停止させる方法でも良い。或いは、ＣＲユニット１０からＣＲ遊技機２０へ出力しているＶＬ信号を停止することで、ＣＲ遊技機２０側の動作を停止させる方法でも良い。とにかく、不正電波が放射された遊技機２０から遊技媒体が払い出されることがないようにできれば、如何様な手法を用いても構わない。
【００３１】
この他、不正電波検知時に行う処理動作として、例えば、不正電波の検知履歴（不正電波検知日時等の情報）を不揮発性の記憶手段である履歴記憶部１２ａに記憶したり、表示／操作部１５によって不正電波を検知した旨の表示を行ったり、ホールコンピュータ３０やプリペイドカードシステム管理コンピュータ５０等へ不正電波検知報告を送信したりしても良い。また、不正電波を検知したＣＲユニット１０が、近隣のＣＲユニット１０と通信して不正電波検知の有無を確認し、例えば、連続した３台のＣＲユニット２０が不正電波を検知していた場合、ちょうど真ん中のＣＲユニット１０（或いは、これに対応したＣＲ遊技機２０）を標的として不正電波を放射した可能性が高いと判断し、標的とされたＣＲユニット２０が遊技店員等に分かるような報知態様で報知動作を行う様にしても良い。さらに、不正電波検知報告を受けたホールコンピュータ３０および／またはプリペイドカードシステム管理コンピュータ５０から警備会社へ通報するようにしても良い。
【００３２】
上述したように、不正電波検知に伴ってＣＲユニット１０が機能停止した後、ＣＲユニット１０を再稼働させる条件は特に限定されるものではなく、一定時間経過後に自動復帰させても良いが、不正電波放射による不正行為を抑制する上では、遊技店員等が機能停止中のＣＲユニット１０へ出向いて、リセット等の復帰動作を行うまで再稼働させないことが望ましい。
【００３３】
また、不正電波検知により機能停止したＣＲユニット１０を再稼働させるとき、通常の電源投入時と同じ初期状態に復帰させても良いが、機能停止前の状態に復帰させることが出来るようにしても良い。例えば、不正行為に関わりのない善意の遊技者が遊技を行っているＣＲ遊技機２０に対応しているＣＲユニット１０が不正電波を受けて機能停止した場合、機能停止前の状態へ状態復帰手段により復帰させることができれば、善意の遊技者に対して不利益を与えることがない。
【００３４】
そこで、本実施形態に係るＣＲユニット２０においては、主制御回路１２に不揮発性記憶手段で構成した退避情報記憶部１２ｂを設けておき、不正電波検知に伴う機能停止前の状態を再現するために必要な全ての情報（例えば、記録媒体保持部１７に保持されている有価価値記録媒体Ｃによる取引中のパラメータ、状態等の情報）を退避させておき、この退避情報記憶部１２ｂに退避情報が記憶されているときにリセット操作が行われると、退避情報を用いて機能停止前の状態を再現して稼働させる。すなわち、「機能停止手段により遊技媒体貸出機能が停止される際に、予め定めた停止前情報を記憶保持し、予め定めた状態復帰条件が達成されることに基づき、前記停止前情報を用いて機能停止前の状態へ復帰させる状態復帰手段」としての機能を主制御回路１２によって実現するのである。
【００３５】
なお、ＣＲユニット１０に対する動作態様（不正電波検知に関連した動作態様）の設定は、各ＣＲユニット１０に設けた設定操作部を介して行うようにしても良いが、図３に示すように、プリペイドシステム管理コンピュータ５０と店内のＬＡＮ回線８０を介して各ＣＲユニット１０を接続し、プリペイドシステム管理コンピュータ５０から設定情報（例えば、電波検知の有効・無効、検知感度、不正電波検知時のＶＬ信号停止など）を各ＣＲユニット１０へ送信すれば、効率的な設定操作を行うことができる。
【００３６】
次に、不正電波検知に際してＣＲユニット１０が行う動作処理の一具体例を、図４のフローチャートに基づき説明する。
【００３７】
先ず、電波センサ部１６が不正電波を検知しているか否か（電波センサのＯＮ／ＯＦＦ）を判定し（ステップＳ０１）、不正電波が検知されていなければ、所定時間待機した後、改めて電波センサのＯＮ／ＯＦＦを判定する。そして、上記ステップＳ０１で電波センサがＯＮになっていると判定した場合には、不正電波の真偽を判定するためのタイマ（予め定めた判定時間を計時するタイマ）のタイマ値を“０”にセットし（ステップＳ０２）、このタイマ値が予め定めた判定基準時間（タイマの計数最大値ＭＡＸ）を超えたか否かを判定し（ステップＳ０３）、未だ計数最大値に達していないと判定された場合には、タイマのタイマ値をカウントアップ（例えば、“１”をインクリメント）する（ステップＳ０４）。
【００３８】
上記ステップＳ０４にてタイマ値をカウントアップした後には、改めて電波センサが未だ継続してＯＮであるか否かを判定し（ステップＳ０５）、電波センサがＯＮであれば、ステップＳ０３へ戻り、タイマのタイマ値をカウントアップしながら判定基準時間に達するまで、ステップＳ０３〜ステップＳ０５の処理を繰り返す。一方、ステップＳ０５で電波センサがＯＦＦになっていると判定されると、ノイズ等による誤検知である可能性が高いので、ステップＳ０１へ戻り、改めて電波センサのＯＮ／ＯＦＦ監視を行う。
【００３９】
上記ステップＳ０３にてタイマ値が計数最大値を超えた（判定基準時間を超えた）と判定された場合には、電波ゴト等による不正電波が放射されたと考えられるので、有価価値記録媒体Ｃを用いた遊技媒体の貸出要求や貨幣投入による有価価値記録媒体の発行などの取引中であった場合には、速やかにその取引中動作を停止し（ステップＳ０６）、その取引中パラメータや状態といった情報を電源断によっても記憶内容が失われない退避情報記憶部１２ｂへ書き込むことで退避させ（ステップＳ０７）、表示／操作部１５によりエラーを表示したり音声信号生成部１４によって不正電波警告音声を出力するエラー報知動作を行い（ステップＳ０８）、ホールコンピュータ３０へ不正電波によるエラー報告を出力し（ステップＳ０９）、電源断によっても記憶内容が失われない履歴記憶部１２ａに不正電波検知に伴うエラー情報を記録し（ステップＳ１０）、プリペイドシステム管理コンピュータ５０へ不正電波検知を通知する（ステップＳ１１）。
【００４０】
上記のようにして機能停止したＣＲユニット１０は、状態復帰条件であるリセット操作が行われるまで待機し（ステップＳ１２）、リセット操作が行われると、退避情報記憶部１２ｂに記憶しておいたパラメータや情報を用いて機能停止前の状態を復元して再稼働する。再稼働した後は、改めてステップＳ０１の電波センサ監視を再開するのである。
【００４１】
以上、本発明に係る遊技媒体貸出装置の実施形態を添付図面に基づいて説明したが、本発明の包摂範囲は、これらの実施形態に限定されるものではなく、公知既存の手法を適宜転用することで実現しても構わない。
【図面の簡単な説明】
【００４２】
【図１】ＣＲユニットとＣＲ遊技機の外観斜視図である。
【図２】本発明に係るＣＲユニット概略構成図である。
【図３】プリペイドシステム管理コンピュータによるＣＲユニットへの設定操作説明図である。
【図４】不正電波検知に際してＣＲユニットが行う動作処理を示すフローチャートである。
【符号の説明】
【００４３】
１０    遊技媒体貸出装置
１２    主制御回路
１４    音声信号生成部
１５    表示／操作部
１６    電波センサ部
２０    ＣＲ遊技機
【図１】
2008194337.tif 000003
【図２】
2008194337.tif 000004
【図３】
2008194337.tif 000005
【図４】
2008194337.tif 000006